(57)【要約】【課題】ＴＶアナログ信号出力の制御方法を提供する。【解決手段】ＤＶＤ再生装置を備えるコンピューターシステムが、ＤＶＤの再生時のみ、ＶＧＡイメージ信号をテレビに出力できるようにし、Ｍａｃｒｏｖｉｓｉｏｎ等の保護技術がコンピューターシステムの応用上での更なる完全性を確保する。この他、ＴＶアナログ信号出力制御方法を応用したＤＶＤが再生できるコンピューターシステムが開示される。【選択図】　図２
2004104282.tif 000002
【特許請求の範囲】
【請求項１】
ＴＶアナログ信号出力の制御方法であって、ＤＶＤ著作権保護の完全性を増強し、コンピューターシステムに設置されたＤＶＤ再生システムに適用し、前記コンピューターシステムはテレビ出力機能をサポートするＶＧＡ制御装置を備え、前記方法は、
コンピューターシステムをオンにした後、ＴＶアナログ信号出力ポートを閉鎖する工程と、
信号出力制御界面を前記ＤＶＤ再生システムに提供し、前記ＴＶアナログ信号出力ポートのオン及びオフを制御する工程と、
前記ＤＶＤ再生システムが起動した後、前記ＤＶＤ再生システムは同時に、前記信号出力制御界面により、前記ＴＶアナログ信号出力ポートに対し、オンの制御を施す工程と、
前記ＤＶＤ再生システムがＤＶＤを再生し始めると、同時に、信号保護プログラムを起動し、前記ＴＶアナログ信号出力ポートから出力されるイメージアナログ信号が特定のコード保護が受けられるようにする工程と
前記ＤＶＤ再生システムが再生終了前、前記信号出力制御界面により、前記ＴＶアナログ信号出力ポートに対し、閉鎖の制御を施した後、ＤＶＤの再生を終了する工程と、
からなることを特徴とする方法。
【請求項２】
前記信号出力制御界面は、前記コンピューターシステム中に設定されたＢＩＯＳインタラプトコール、或いはＣＭＯＳスイッチ設定を別途に増加するか、あらかじめ設定されたプログラムに基づいて、前記ＴＶアナログ信号出力ポートに対し、オン／オフの制御を実施することを特徴とする請求項１に記載の方法。
【請求項３】
前記信号保護プログラムはＶＧＡ制御装置が提供するＭａｃｒｏｖｉｓｉｏｎ保護であることを特徴とする請求項１に記載の方法。
【請求項４】
ＤＶＤが再生できるコンピューターシステムであって、少なくとも、
ＤＶＤのデータを読み取り、出力するＤＶＤ再生装置と、
テレビ出力機能を前記コンピューターシステムに提供するのをサポートするのに用いられ、信号保護プログラム提供すると共にイメージデータの表示を制御するイメージ表示制御装置と、
ＴＶアナログ信号出力ポートと、
前記ＤＶＤ再生装置に提供し、前記ＴＶアナログ信号出力ポートのオン／オフを制御する信号出力制御界面と、
からなり、前記ＤＶＤ再生システムが起動すると、同時に、前記信号出力制御界面により、前記ＴＶアナログ信号出力ポートを起動し、前記ＤＶＤ再生システムがＤＶＤを再生し始めると、同時に、前記信号保護プログラムを起動し、前記ＴＶアナログ信号出力ポートから出力されるイメージアナログ信号が特定のコード保護を受けられるようにし、前記ＤＶＤ再生システムが再生を終了する前、前記信号出力制御界面により、前記ＴＶアナログ信号出力ポートに対し、閉鎖の制御を施して、その後、ＤＶＤの再生を停止することを特徴とするシステム。
【請求項５】
前記イメージ表示制御装置はＶＧＡ制御装置で、前記信号保護プログラムは前記ＶＧＡ制御装置が提供するＭａｃｒｏｖｉｓｉｏｎ保護プログラムであることを特徴とする請求項４に記載のシステム。
【請求項６】
前記信号出力制御界面は、前記のＢＩＯＳインタラプトコール、或いはＣＭＯＳスイッチ設定で、あらかじめ設定されたプログラムに基づいて、前記ＴＶアナログ信号出力ポートに対し、オン／オフの制御を実施することを特徴とする請求項４に記載のシステム。
【発明の詳細な説明】
【０００１】
【発明の属する技術分野】
本発明は、ＴＶアナログ信号出力の制御方法及び前記制御方法を応用してＤＶＤ（Ｄｉｇｉｔａｌ　Ｖｅｒｓａｔｉｌｅ　Ｄｉｓｃ）が再生できるコンピューターシステムに関するもので、Ｍａｃｒｏｖｉｓｉｏｎ等の保護技術がコンピューターシステム応用上で、更なる完全性を確保できるようにする。
【０００２】
【従来の技術】
デジタルイメージ技術とマルチメディアの発展に伴い、パーソナルコンピューター（デスクトップ型或いはノートブック型）がＤＶＤ再生装置（ＤＶＤプレーヤー或いはＤＶＤ−ＲＯＭ）を搭載するのも一種の趨勢となっている。図１はコンピューターシステム中のＤＶＤ再生システムの組織構成図で、コンピューターシステムのその他のユニットは、説明を簡潔にするために図では省略している。
【０００３】
図１において、ＤＶＤ再生装置１０ａは、ＤＶＤ再生ソフト１０ｂの駆動の下、ＤＶＤのデータを読み取り、読み出したデータはイメージ表示制御装置１２ａの処理を経て、コンピューターシステムのディスプレイ（ＰＣディスプレイ）１４により、イメージを出力し、或いは、ＴＶ信号出力ポート１６により、ＴＶアナログ信号をテレビ（図示しない）に出力して表示する。ここで、イメージ表示制御装置１２ａは、例えば、ＶＧＡ（Ｖｉｄｅｏ　Ｇｒａｐｈｉｃｓ　Ａｒｒａｙ）制御チップを備えるＶＧＡ制御装置である。現在のテレビ出力をサポートするＶＧＡ制御チップは、Ｍａｃｒｏｖｉｓｉｏｎ等のイメージ保護プログラムをサポートしている。よって、図１において、ＤＶＤ再生ソフト１０ｂはＤＶＤ再生装置１０ａを駆動してＤＶＤを読み取る時、一般的に、Ｍａｃｒｏｖｉｓｉｏｎ保護プログラムを起動して、ＴＶアナログ信号に対しコード保護を実施し、著作権の侵害を防ぐ。
【０００４】
しかし、Ｍａｃｒｏｖｉｓｉｏｎ保護プログラムはどれも、ＤＶＤ再生ソフトにより起動され、各供給メーカーが設計するＤＶＤ再生ソフトは異なるため、ＤＶＤ再生ソフトが起動しない、或いはＶＧＡ制御チップが提供するＭａｃｒｏｖｉｓｉｏｎ保護機能が起動できない場合、ＴＶアナログ信号はコードの保護がなされず、コピーされてしまう。このコンピュータ−システムはＭａｃｒｏｖｉｓｉｏｎの保護機能及び著作権保護の完全性を失う。
【０００５】
【発明が解決しようとする課題】
本発明はＴＶアナログ信号出力の制御方法を提供することを目的とし、コンピューターシステム上に設置されたＤＶＤ再生システム（コンピューターシステムはテレビ出力機能をサポートするＶＧＡ制御装置を備える）に適用し、ＤＶＤ再生システムを備えるコンピューターシステムに、ＤＶＤを再生する時のみ、ＴＶアナログ信号をテレビに出力させ、且つ、出力するＴＶアナログ信号はＭａｃｒｏｖｉｓｉｏｎ等の保護プログラムの処理を経て、ＤＶＤ著作権保護の完全性を増強する。
【０００６】
【課題を解決するための手段】
上述の目的を達成するため、本発明はＴＶアナログ信号出力の制御方法を提供し、コンピューターシステムはテレビ出力機能をサポートするＶＧＡ制御装置を備え、前記方法は以下の通りである。
まず、コンピューターシステムをオンにした後、ＴＶアナログ信号出力ポートを閉鎖し、全ての可能なアナログ信号出力を切断する。
【０００７】
信号出力制御界面をＤＶＤ再生システムに提供し、ＴＶアナログ信号出力ポートのオン／オフを制御し、ＴＶアナログ信号出力ポートの制御権をＤＶＤ再生システムに渡す。信号出力制御界面は、例えば、前記のコンピューターシステムのＢＩＯＳインタラプトコールか、或いはＣＭＯＳスイッチ設定であり、あらかじめ設定されたプログラムに基づいて、ＴＶアナログ信号出力ポートに対し、オン／オフの制御を実施する。
ＤＶＤ再生システムが起動すると、ＤＶＤ再生システムは同時に、信号出力制御界面により、ＴＶアナログ信号出力ポートを起動する。
【０００８】
ＤＶＤ再生システムはＤＶＤを再生し始めると、同時に、例えばＭａｃｒｏｖｉｓｉｏｎ保護等の信号保護プログラムを起動し、ＴＶアナログ信号出力ポートが出力するイメージアナログ信号は特定のコード保護を受けることができる。
ＤＶＤ再生システムの再生が終了する前、信号出力制御界面により、ＴＶアナログ信号出力ポートを閉鎖し、その後、ＤＶＤの再生を停止する。
この他、本発明は、ＤＶＤを再生することができるコンピューターシステムを提供することをもう一つの目的とし、本発明が提供するＴＶアナログ信号出力の制御方法とあわせて、コンピューターシステムがＤＶＤに対し、更に完全な著作権保護を提供する。
【０００９】
上述の目的を達成するため、本発明はＤＶＤが再生できるコンピューターシステムを提供し、ＤＶＤのデータを読み取り、出力するＤＶＤ再生装置と、テレビ出力機能をコンピューターシステムに提供するのをサポートするのに用いられ、信号保護プログラム提供すると共にイメージデータの表示を制御する、例えばＶＧＡ制御装置等のイメージ表示制御装置と、ＴＶアナログ信号出力ポートと、前記ＤＶＤ再生装置に提供し、前記ＴＶアナログ信号出力ポートのオン／オフを制御する信号出力制御界面と、からなる。ＤＶＤ再生システムが起動すると、同時に、前記信号出力制御界面により、前記ＴＶアナログ信号出力ポートを起動する。
【００１０】
ＤＶＤ再生システムがＤＶＤを再生し始めると、同時に、信号保護プログラムを起動し、ＴＶアナログ信号出力ポートから出力されるイメージアナログ信号が特定のコード保護を受けられるようにする。及び、ＤＶＤ再生システムが再生を終了する前、信号出力制御界面により、ＴＶアナログ信号出力ポートに対し、閉鎖の制御を施して、その後、ＤＶＤの再生を停止する。
【００１１】
【発明の実施の形態】
上述した本発明の目的、特徴、及び長所をいっそう明瞭にするため、以下に本発明の好ましい実施の形態を挙げ、図面を参照しながらさらに詳しく説明する。
実施例：
図２は本発明によるＤＶＤが再生できるコンピューターシステムを示す図である。ここで、説明を簡潔にするため、図２と図１の同様、或いは類似したユニットは相同の符号、数字で表示する。また、コンピューターシステムのその他のユニットは、説明を簡潔にするため、図では省略した。図３は本発明のＴＶアナログ信号出力の制御方法における、ＤＶＤ再生装置が起動から再生終了までの流れを示している。以下は図２及び図３を参照し、本発明の詳細を述べる。
【００１２】
図２で示されるように、本発明が提供するＤＶＤが再生できるコンピューターシステムは、少なくとも以下のユニットからなる。ＤＶＤ再生ソフト１０ｂの駆動により、ＤＶＤのデータを読み取るＤＶＤ再生装置１０ａと、テレビ出力機能をコンピューターシステムに提供するのをサポートするのに用いられ、且つ、Ｍａｃｒｏｖｉｓｉｏｎ保護プログラム１２ｂを提供する、実施例ではＶＧＡ制御チップを備えるＶＧＡ制御装置である、イメージ表示制御装置１２ａと、ＴＶ信号出力ポート１６と、ＤＶＤ再生装置に提供され、ＴＶアナログ信号出力ポート１６のオン／オフを制御する信号出力制御界面１８と、からなり、本実施例において、信号出力制御界面１８はコンピューターシステムのＢＩＯＳインタラプトコール、或いはＣＭＯＳスイッチ設定であり、あらかじめ設定されたプログラムに基づいて、ＴＶアナログ信号出力ポートに対し、オン／オフの制御を実施する。
【００１３】
本発明が提供するＤＶＤが再生できるコンピューターシステム（図２）と公知のシステム（図１）との差異は、主に、本発明が提供するＴＶアナログ信号出力の制御方法と組み合わせ、及び、別途に信号出力制御界面１８を提供していることで、コンピューターシステムを製造する時、まず、制御が必要なプログラミングをシステム内のＢＩＯＳ中、或いはシステムのＣＭＯＳ中に書き込み、ＤＶＤ再生ソフト１０ｂがＢＩＯＳによりコール、或いはＣＭＯＳのスイッチに対し、設定の方式を実行できるようにし、前記ＴＶアナログ信号出力ポート１６に対する制御権を得る。
【００１４】
本発明が提供するＴＶアナログ信号出力制御方法は、以下の工程からなる。
まず、コンピューターシステムをオンにした後、ＴＶアナログ信号出力ポートを閉鎖し、全ての可能なアナログ信号出力を切断する。
信号出力制御界面をＤＶＤ再生システム１０ａに提供し、ＴＶアナログ信号出力ポートのオン／オフを制御し、ＴＶアナログ信号出力ポート１６の制御権をＤＶＤ再生システム１０ａ（或いは再生ソフト１０ｂ）に渡す。信号出力制御界面１８は、例えば、前記のコンピューターシステムのＢＩＯＳインタラプトコールか、或いはＣＭＯＳスイッチ設定であり、あらかじめ設定されたプログラムに基づいて、ＴＶアナログ信号出力ポート１６に対し、オン／オフの制御を実施する。
【００１５】
ＤＶＤ再生装置が起動から再生を終了するまでの期間の、本発明のアナログ信号出力の制御工程が図３で示される。
ステップ３０において、ＤＶＤ再生システム１０ａが起動すると、ステップ３１でＤＶＤ再生システム１０ａはＢＩＯＳインタラプトをコールするか、或いはＣＭＯＳスイッチ設定により（即ち、信号出力制御界面１８により）、ＴＶアナログ信号出力ポート１６を起動する。
【００１６】
ステップ３２において、ＤＶＤ再生システム１０ａはＤＶＤを再生し始めると、ＤＶＤ再生ソフトが同時に、ＶＧＡイメージ表示制御装置１２ａが提供するＭａｃｒｏｖｉｓｉｏｎ保護等プログラム１２ｂ（或いは素の他の可能な保護プログラム）を起動する。再生ソフト１０ｂが駆動して、ＤＶＤデータをＶＧＡイメージ表示制御装置１２ａにより、コンピューターシステムのディスプレイ１４に出力すると共に、ＴＶアナログ信号出力ポート１６により出力するイメージアナログ信号は、Ｍａｃｒｏｖｉｓｉｏｎ保護が追加される（ユーザーは必要に応じてイメージアナログ信号をテレビに接続して鑑賞することができる）。
【００１７】
ステップ３３において、ＤＶＤ再生システムの再生が終了する前、先に、ＢＩＯＳインタラプトをコールするか、或いは、ＣＭＯＳスイッチ設定により（即ち、信号出力制御界面１８により）、ＴＶアナログ信号出力ポート１６を閉鎖し、その後、ステップ３４において、ＤＶＤの再生を停止する。
【００１８】
上述からわかるように、本発明のＴＶアナログ信号出力の制御方法は、ＤＶＤ再生装置を備えるコンピューターシステムに、ＤＶＤを再生する時のみ、ＶＧＡイメージ信号出力を、ＴＶアナログ信号出力ポート１６により、テレビに出力させ、また、ＤＶＤ再生ソフトは、Ｍａｃｒｏｖｉｓｉｏｎ等の保護を起動するので、イメージアナログ信号を録画装置によりコピーしようとしても、イメージアナログ信号はＭａｃｒｏｖｉｓｉｏｎの保護により、コピーができない。これにより、Ｍａｃｒｏｖｉｓｉｏｎ等の保護技術がコンピューターシステム応用上で、更なる完全性が確保できるようになる。この他、本発明が提供するＤＶＤが再生できるコンピューターシステムは、前記ＴＶアナログ信号出力の制御方法を十分に応用し、故に、著作権が保護されたコンピューター再生システムになる。
【００１９】
本発明では好ましい実施例を前述の通り開示したが、これらは決して本発明に限定するものではなく、当該技術を熟知する者なら誰でも、本発明の精神と領域を脱しない範囲内で各種の変形や改良を加えることができる。従って本発明の保護範囲は、特許請求の範囲で指定した内容を基準とする。
【００２０】
【発明の効果】
本発明のＤＶＤが再生できるコンピューターシステムによれは、ＤＶＤ著作権保護の完全性が増強される。
【図面の簡単な説明】
【図１】コンピューターシステムにおける、ＤＶＤ再生システムの組織図である。
【図２】本発明によるＤＶＤが再生可能であるコンピューターシステムで、実施例の組織構成図である。
【図３】本発明のＴＶアナログ信号出力の制御方法中、ＤＶＤ再生装置の起動から再生終了までの流れを示すフロチャート図である。
【符号の説明】
１０ａ　　ＤＶＤ再生装置（ＤＶＤ−ＲＯＭ）
１０ｂ　　ＤＶＤ再生ソフト
１２ａ　　イメージ表示制御装置
１２ｂ　　Ｍａｃｒｏｖｉｓｉｏｎ保護プログラム
１４　　　ＰＣディスプレイ
１６　　　ＴＶ信号出力ポート
１８　　　ＴＶ信号出力制御界面
【図１】
2004104282.tif 000003
【図２】
2004104282.tif 000004
【図３】
2004104282.tif 000005